(57)【要約】      （修正有）【課題】競技施設の予約と共にその協議に付随するサービスも同時に予約できるシステムを提供する。【解決手段】競技施設予約システムは、施設端末装置と、利用希望者端末装置と、サービス提供者端末装置と、サーバー装置と、を備える。サーバー装置は、競技施設情報と競技に関連するサービス情報とを関連付けた施設情報格納部と、競技施設及び／又はサービスの利用者情報を格納する利用者情報格納部と、利用者情報と関連付けて競技施設とサービスの利用日時情報を格納する利用日時情報格納部とを備える。施設端末装置は、競技施設に関する情報及び／又は競技施設の利用日時情報をサーバーへ送信する。サービス提供者端末装置は、競技に関連するサービスに関する情報と、競技施設及びサービスを関連付けた紐付情報と、サービスの利用日時情報をサーバー装置に送信する。利用希望者端末装置は、競技施設の利用者情報をサーバー装置へ送信する。【選択図】なし【特許請求の範囲】
【請求項１】
競技施設（１）の管理者が所有する施設端末装置（ＴＫ）と、
競技施設（１）の利用希望者が所有する利用希望者端末装置（ＴＲ）と、
競技に関連するサービス（２）の提供者が所有するサービス提供者端末装置（ＴＳ）と、
施設端末装置（ＴＫ）、利用希望者端末装置（ＴＲ）及びサービス提供者端末装置（ＴＳ）と通信可能なサーバー装置（ＳＳ）とを備えた競技施設予約システムであって、
サーバー装置（ＳＳ）が、競技施設（１）に関する情報、競技に関連するサービス（２）に関する情報、並びに競技施設（１）及びサービス（２）を関連付けた紐付情報を格納できる施設情報格納部（ＭＳ）と、
競技施設（１）及び／又はサービス（２）の利用者情報を格納できる利用者情報格納部（ＭＲ）と、
利用者情報と関連付けて、競技施設（１）の利用日時情報及びサービス（２）の利用日時情報を格納できる利用日時情報格納部（ＭＤ）とを備え、
施設端末装置（ＴＫ）から競技施設（１）に関する情報及び／又は競技施設（１）の利用日時情報をサーバー装置（ＳＳ）へ送信する送信手段（ａ１）と、
サーバー装置（ＳＳ）が、送信手段（ａ１）で送信された競技施設（１）に関する情報及び／又は競技施設（１）の利用日時情報を施設情報格納部（ＭＳ）及び／又は利用日時情報格納部（ＭＤ）に格納する格納手段（ｂ１）と、
サービス提供者端末装置（ＴＳ）から競技に関連するサービス（２）に関する情報、競技施設（１）及びサービス（２）を関連付けた紐付情報、並びに／又はサービス（２）の利用日時情報をサーバー装置（ＳＳ）へ送信する送信手段（ａ２）と、
サーバー装置（ＳＳ）が、送信手段（ａ２）で送信された競技に関連するサービス（２）に関する情報、競技施設（１）及びサービス（２）を関連付けた紐付情報、並びに／又はサービス（２）の利用日時情報を施設情報格納部（ＭＳ）及び／又は利用日時情報格納部（ＭＤ）に格納する格納手段（ｂ２）と、
利用希望者端末装置（ＴＲ）から競技施設（１）の利用者情報をサーバー装置（ＳＳ）へ送信する送信手段（ａ３）と、
サーバー装置（ＳＳ）が、送信手段（ａ３）で送信された利用者情報を利用者情報格納部（ＭＲ）に格納する格納手段（ｂ３）と、
競技施設（１）に関する情報、競技に関連するサービス（２）に関する情報、競技施設（１）及びサービス（２）を関連付けた紐付情報、競技施設（１）の利用日時情報、並びにサービス（２）の利用日時情報に基づいて、利用希望者端末装置（ＴＲ）から競技施設（１）の利用希望日時及びサービス（２）の利用希望日時をサーバー装置（ＳＳ）へ送信する送信手段（ａ４）と、
サーバー装置（ＳＳ）が、送信手段（ａ４）で送信された利用希望日時及び利用者情報に基づいて、競技施設（１）の利用日時情報及びサービス（２）の利用日時情報を利用日時情報格納部（ＭＲ）に格納する格納手段（ｂ４）とを備えることを特徴とする競技施設予約システム。
【請求項２】
競技施設（１）が、陸上運動施設、水中運動施設、体育館、武道施設、スキー場、アイスアリーナ、ボードゲーム施設又はモータースポーツ施設である請求項１に記載の競技施設予約システム。
【請求項３】
サービス（２）が、宿泊サービス、コーチングサービス、保険提供サービス、審判員派遣サービス、飲食サービス、送迎サービス、レンタルサービス、医療サービス及び対戦相手提供サービスからなる群より選ばれる少なくとも１種の役務である請求項１又は２に記載の競技施設予約システム。
【発明の詳細な説明】
【技術分野】
【０００１】
本発明は競技施設予約システムに関する。
【背景技術】
【０００２】
「インターネットを使用して、ネットワーク運営主体がユーザーと複数のスポーツ施設提供者に予約及び情報を提供するシステム」や「インターネットのオンラインによるスポーツ施設予約及び情報提供システムをサーバ側（ネットワーク運営主体）とユーザサイド（施設利用者、登録会員）及び施設サイドの三者間で構築し、事業者側がＨＴＭＬやＪＡＶＡの言語を利用して、Ｗｅｂブラウザーソフトにより端末画面にその情報内容を表示すると共に、ＨＴＭＬとＣＧＩを併用し、ユーザーサイドが顧客情報を参照する際に予約等の必要事項を入力し、事業者側のサーバーを経由して施設サイドもその情報をリアルタイムで受け取るスポーツ施設の予約及び情報を提供するシステム」が知られている（特許文献１）。
【先行技術文献】
【特許文献】
【０００３】
【特許文献１】特開２００１−１５５１０５号公報
【発明の概要】
【発明が解決しようとする課題】
【０００４】
従来のシステムであると、競技施設の予約ができても、その競技に付随するサービス（宿泊サービス、コーチングサービス、保険提供サービス、審判員派遣サービス、飲食サービス及び対戦相手提供サービス等）を別途予約しなければならないという煩わしさがある。
【０００５】
本発明は、競技施設の予約と共に、その競技に付随するサービスも同時に予約できるシステムを提供することを目的とする。
【課題を解決するための手段】
【０００６】
本発明の競技施設予約システムの特徴は、競技施設（１）の管理者が所有する施設端末装置（ＴＫ）と、
競技施設（１）の利用希望者が所有する利用希望者端末装置（ＴＲ）と、
競技に関連するサービス（２）の提供者が所有するサービス提供者端末装置（ＴＳ）と、
施設端末装置（ＴＫ）、利用希望者端末装置（ＴＲ）及びサービス提供者端末装置（ＴＳ）と通信可能なサーバー装置（ＳＳ）とを備えた競技施設予約システムであって、
【０００７】
サーバー装置（ＳＳ）が、競技施設（１）に関する情報、競技に関連するサービス（２）に関する情報、並びに競技施設（１）及びサービス（２）を関連付けた紐付情報を格納できる施設情報格納部（ＭＳ）と、
競技施設（１）及び／又はサービス（２）の利用者情報を格納できる利用者情報格納部（ＭＲ）と、
利用者情報と関連付けて、競技施設（１）の利用日時情報及びサービス（２）の利用日時情報を格納できる利用日時情報格納部（ＭＤ）とを備え、
【０００８】
施設端末装置（ＴＫ）から競技施設（１）に関する情報及び／又は競技施設（１）の利用日時情報をサーバー装置（ＳＳ）へ送信する送信手段（ａ１）と、
【０００９】
サーバー装置（ＳＳ）が、送信手段（ａ１）で送信された競技施設（１）に関する情報及び／又は競技施設（１）の利用日時情報を施設情報格納部（ＭＳ）及び／又は利用日時情報格納部（ＭＤ）に格納する格納手段（ｂ１）と、
【００１０】
サービス提供者端末装置（ＴＳ）から競技に関連するサービス（２）に関する情報、競技施設（１）及びサービス（２）を関連付けた紐付情報、並びに／又はサービス（２）の利用日時情報をサーバー装置（ＳＳ）へ送信する送信手段（ａ２）と、
【００１１】
サーバー装置（ＳＳ）が、送信手段（ａ２）で送信された競技に関連するサービス（２）に関する情報、競技施設（１）及びサービス（２）を関連付けた紐付情報、並びに／又はサービス（２）の利用日時情報を施設情報格納部（ＭＳ）及び／又は利用日時情報格納部（ＭＤ）に格納する格納手段（ｂ２）と、
【００１２】
利用希望者端末装置（ＴＲ）から競技施設（１）の利用者情報をサーバー装置（ＳＳ）へ送信する送信手段（ａ３）と、
【００１３】
サーバー装置（ＳＳ）が、送信手段（ａ３）で送信された利用者情報を利用者情報格納部（ＭＲ）に格納する格納手段（ｂ３）と、
【００１４】
競技施設（１）に関する情報、競技に関連するサービス（２）に関する情報、競技施設（１）及びサービス（２）を関連付けた紐付情報、競技施設（１）の利用日時情報、並びにサービス（２）の利用日時情報に基づいて、利用希望者端末装置（ＴＲ）から競技施設（１）の利用希望日時及びサービス（２）の利用希望日時をサーバー装置（ＳＳ）へ送信する送信手段（ａ４）と、
【００１５】
サーバー装置（ＳＳ）が、送信手段（ａ４）で送信された利用希望日時及び利用者情報に基づいて、競技施設（１）の利用日時情報及びサービス（２）の利用日時情報を利用日時情報格納部（ＭＲ）に格納する格納手段（ｂ４）とを備える点を要旨とする。
【発明の効果】
【００１６】
本発明の競技施設予約システムは、競技施設の予約と共に、その競技に付随するサービスも同時に予約できる。
したがって、単なる競技施設の予約だけではなく、競技の種類、競技者の実力、日時、場所等の観点からその競技施設及び競技者に適した付随サービスを同時に予約でき、付随サービスを別途予約しなければならないという煩わしさがない。
さらに本発明の競技施設予約システムは、競技施設（１）及びサービス（２）を関連付けた紐付情報を活用できるので、利用希望者が当初想定していなかったサービス（２）を利用できたり、当初想定していなかった競技施設（１）を利用できるので、利用希望者のみならず、競技施設（１）の管理者やサービス（２）の提供者にとっても想定外の利用希望者を獲得でき、三者とも満足することができる。
【図面の簡単な説明】
【００１７】
【図１】競技施設（１）の管理者用の利用開始画面例である。
【図２】サービス（２）の提供者用の利用開始画面例である。
【図３】利用希望者用の利用開始画面例である。
【図４】競技施設（１）、サービス（２）及び利用日時等の選択画面例である。
【発明を実施するための最良の形態】
【００１８】
本発明の競技施設予約システムは、競技施設（１）の管理者が所有する施設端末装置（ＴＫ）と、
競技施設（１）の利用希望者が所有する利用希望者端末装置（ＴＲ）と、
競技に関連するサービス（２）の提供者が所有するサービス提供者端末装置（ＴＳ）と、
施設端末装置（ＴＫ）、利用希望者端末装置（ＴＲ）及びサービス提供者端末装置（ＴＳ）と通信可能なサーバー装置（ＳＳ）とを備える。
【００１９】
競技施設（１）としては、個人や団体がルールに従って何らかの技（知識、技術、技能や身体的能力等）の優劣を互いに競うことができる施設であれば制限なく、屋内施設又は屋外施設のいずれも含まれる。本発明の競技施設予約システムに好適な競技施設としては、陸上運動施設（陸上競技トラック、テニスコート、野球場、ラグビー場、サッカー場、走り幅跳び場及びハンマー投げ場等）、水中運動施設（水泳場、カヌー競技施設及びヨット競技施設等）、体育館（バレーコート、バドミントンコート、卓球台、重量挙げ場及び多目的ホール等）、武道施設（剣道場、空手道場、柔道場及び土俵等）、スキー場（アルペンスキー場、ジャンプスキー場、ノルディックスキー場、スノーボード場及びボブスレー場等）、アイスアリーナ（アイスホッケー場、フィギャスケート場及びカーリング場等）、ボードゲーム施設（囲碁施設、将棋施設、チェス施設及びオセロ施設等）又はモータースポーツ施設（サーキット場、レーシングカート場、モトクロス場及び四駆オフロードコース等）等である。
【００２０】
発明の競技施設予約システムは、種々の競技施設を対象とした総合的なシステムであってもよいし、特定範囲の施設（屋内施設や、陸上運動施設等）に特化したシステムでもよく、さらに限定的な競技施設（野球場等）に限定したシステムでもよい。
【００２１】
競技に関連するサービス（２）としては、競技施設（１）で行われる競技に付随する無形財の販売業であれば制限なく、多種多様な役務や本出願時に存在しなかった新たなサービスも含まれる。本発明の競技施設予約システムに好適な競技に関連するサービス（２）としては、宿泊サービス、コーチングサービス、保険提供サービス、審判員派遣サービス、飲食サービス、送迎サービス、レンタルサービス、医療サービス及び対戦相手提供サービス等である。
【００２２】
サーバー装置（ＳＳ）は、競技施設（１）に関する情報、競技に関連するサービス（２）に関する情報、並びに競技施設（１）及びサービス（２）を関連付けた紐付情報を格納できる施設情報格納部（ＭＳ）と、
競技施設（１）及び／又はサービス（２）の利用者情報を格納できる利用者情報格納部（ＭＲ）と、
利用者情報と関連付けて、競技施設（１）の利用日時情報及びサービス（２）の利用日時情報を格納できる利用日時情報格納部（ＭＤ）とを備える。
【００２３】
競技施設（１）に関する情報には、競技の種類、費用、所在地、参加可能人数及びその他の情報が含まれる。
【００２４】
競技に関連するサービス（２）に関する情報には、サービスの種類、費用、そのサービスに応じた情報及びその他の情報が含まれる。
【００２５】
競技施設（１）及びサービス（２）を関連付けた紐付情報としては、競技施設（１）に関する情報（特に競技の種類及び所在地等）とサービス（２）に関する情報（特にサービスの種類及びサービス提供者の所在地等）との間に存在する特定の関連情報である。この紐付情報には、特定の競技施設で提供を受けられるサービスの関連情報や、特定のサービスを提供できる競技施設の関連情報が含まれる。また、紐付情報は、期間、季節、所在地、サービス利用時間帯等によって設定できる。
【００２６】
競技施設（１）及び／又はサービス（２）の利用者情報には、本発明の競技施設予約システムを利用する者（個人及び団体等）の氏名又は名称、住所又は居所、電話番号、電子メールアドレス及びクレジットカード情報等の個人情報が含まれ、各利用者に付与されるＩＤ（Identification；識別記号、以下同じ）及びパスワードも含まれる。
【００２７】
競技施設（１）の利用日時情報及びサービス（２）の利用日時情報とは、競技施設（１）及びサービス（２）に関する利用者の予約日時と過去の利用日時が含まれる。
【００２８】
施設端末装置（ＴＫ）から競技施設（１）に関する情報及び／又は競技施設（１）の利用日時情報をサーバー装置（ＳＳ）へ送信する送信手段（ａ１）において、たとえば、図１のような利用開始画面を介して各種情報を送信することができる。なお、図１において、▼はプルダウンによって各項目を選択できることを示している（以下、同様である。図１において対象者の欄はプルダウンを展開した状態を示している。）。この送信後、電子メールや郵便等を用いて管理者を特定するように構成してもよい。次回以降に容易に管理者を特定できるようにするため、ＩＤ及びパスワードを設定するように構成してもよい。競技の種類の欄を４つ設けているが、競技の種類の欄を１つだけ表記して、競技の種類の欄を追加できるようにしてもよい。編集ボタンをクリックすることにより、格納手段により格納された情報を編集できるようになっている（以下、同様である。）。競技の利用可能期日（すなわち、利用日時情報）を追加したり、利用希望者の制限を追加したり、施設に付随するサービス（更衣室、トイレ、シャワールーム、自動販売機）の有無や交通機関情報を追加することもできる。この送信手段（ａ１）によりサーバー装置（ＳＳ）は、自動的に又は人為的に、管理用の施設番号を発生させ、各施設に付与することができる。また、競技施設（１）の窓口にて、利用希望者端末装置（ＴＲ）を持たない利用希望者が競技施設（１）の管理者を通じて本発明のシステムを利用することができる。本発明のシステムを利用せずに競技施設（１）を利用する利用希望者のために、この送信手段（ａ１）により競技施設（１）の利用日時情報を送信することができる。
【００２９】
サービス提供者端末装置（ＴＳ）から競技に関連するサービス（２）に関する情報、競技施設（１）及びサービス（２）を関連付けた紐付情報、並びに／又はサービス（２）の利用日時情報をサーバー装置（ＳＳ）へ送信する送信手段（ａ２）において、たとえば、図２のような利用開始画面を介して各種情報を送信することができる。この送信後、電子メールや郵便等を用いてサービス提供者を特定するように構成してもよい。次回以降に容易にサービス提供者を特定できるようにするため、ＩＤ及びパスワードを設定するように構成してもよい。サービスの欄を４つ設けているが、サービスの欄を１つだけ表記して、サービスの欄を追加できるようにしてもよい。４つのサービスの欄にそれぞれ提供可能施設を選択でき、これが競技施設（１）及びサービス（２）を関連付けた紐付情報となる。提供可能施設は、登録された競技施設の管理番号を選択できるように表記されているが、施設名や所在地を表記してもよく、１つのサービスに複数の競技施設を対応できるようにしてもよい。サービスの性質上、競技施設とは無関係にサービスを提供できる場合（たとえば、宿泊や送迎）の他、競技施設の許可等を必要とする場合（たとえばコーティングやレンタルサービス）や対戦相手提供サービスのように相手側の承認が必要な場合、適宜、事前に又は事後的に許可や承認を得ることができる。サービス提供可能期日を追加したり、利用希望者の制限を追加することもできる。この送信手段（ａ２）によりサーバー装置（ＳＳ）は、自動的に又は人為的に、管理用のサービス提供者番号を発生させ、各提供者に付与することができる。また、サービス提供者の窓口にて、利用希望者端末装置（ＴＲ）を持たない利用希望者がサービス提供者を通じて本発明のシステムを利用することができる。本発明のシステムを利用せずにサービス（２）を利用する利用希望者のために、この送信手段（ａ２）によりサービス（２）の利用日時情報を送信することができる。
【００３０】
利用希望者端末装置（ＴＲ）から競技施設（１）の利用者情報をサーバー装置（ＳＳ）へ送信する送信手段（ａ３）において、たとえば、図３のような利用開始画面を介して各種情報を送信することができる。この送信後、電子メールや郵便等を用いて利用者を特定するように構成してもよい。次回以降に容易に利用者を特定できるようにするため、ＩＤ及びパスワードを設定するように構成してもよい。
【００３１】
競技施設（１）に関する情報、競技に関連するサービス（２）に関する情報、競技施設（１）及びサービス（２）を関連付けた紐付情報、競技施設（１）の利用日時情報、並びにサービス（２）の利用日時情報に基づいて、利用希望者端末装置（ＴＲ）から競技施設（１）の利用希望日時及びサービス（２）の利用希望日時をサーバー装置（ＳＳ）へ送信する送信手段（ａ４）において、たとえば、図４のような競技施設（１）、サービス（２）及び利用日時の選択画面を介して利用希望情報を送信することができる。競技の種類及びサービスの種類だけを選択して対応する競技施設を抽出するようにしてもよいし、競技の種類及び競技地域だけを選択して対応する競技施設を抽出するようにしてもよいし、競技の種類及び競技月日だけを選択して対応する競技施設を抽出するようにしてもよく、抽出後、競技施設一覧を表示させ、さらに絞り込むように構成してもよい。競技日時について、カレンダー上に利用可能な日時を表示させてもよい。送信手段（ａ４）には、最終的に、競技施設（１）及びサービス（複数種類でもよい。）を表記させその承認の送信も含まれる。この際、利用料金の全額又は予約金等の支払いに関する情報（クレジットカード支払い、銀行口座送金又はコンビニ支払い等）を送信してもよい。また、サーバー装置（ＳＳ）が、送信手段（ａ４）で送信された利用希望日時及び利用者情報に基づいて、利用希望者端末装置（ＴＲ）へ予約受付情報や予約完了情報等を送信してもよい。競技施設やサービスの利用時に本人確認用等として、これらの予約受付情報や予約完了情報等をＱＲコード化して送信することもできる。
【図１】
2019036342.tif 000002
【図２】
2019036342.tif 000003
【図３】
2019036342.tif 000004
【図４】
2019036342.tif 000005